(57)【特許請求の範囲】
【請求項１】
１２枚の同一形状の一定の弾性力を有する材料からなるシートを互いに連結して構成した中空球状体であって、
前記各シートに形成された正五角形のベース部からなる１２の略五角形領域と、前記ベース部の各辺に付設された異形部同士が連結されて形成される２０の略３角形領域とが組み合わせられた多面体からなり、
前記略三角形領域には、前記各シート同士の連結部を兼ねる装飾部が形成されると共に前記装飾部は３つの前記異形部が組み合わされて立体的に形成され、
前記異形部は、前記ベース部の辺に連接する連接部と、この連接部から屈曲伸延する連結爪部とを有し、この連結爪部同士が組み合わされて前記装飾部を構成し、
各前記シートの前記連接部と前記連結爪部との境目に係合部を入江状に形成し、前記係合部の終端を、前記正五角形のベース部が内接する仮想正五角形の頂点に位置させて、前記係合部の終端を前記装飾部の中心に位置させ、
前記係合部は、入江状の入口が全ての前記異形部で前記正五角形のベース部の各辺に略平行で同じ側に形成され、
更に、前記連接部は、前記係合部が形成される側に山状に突出させた第１の突出部と、前記第１の突出部の反対側に形成された第２の突出部とを有し、
異なる前記異形部間で隣接する前記第１の突出部と前記第２の突出部とが前記正五角形のベース部の頂点で凹状の谷底を形成するように構成されていることを特徴とする中空球状体。
【請求項２】
前記連結爪部を花弁状に形成したことと特徴とする請求項１に記載の中空球状体。
【請求項３】
請求項１又は２に記載の中空球状体を構築するために、前記１２枚のシートを具備することを特徴とする中空球状体の組立キット。
【請求項４】
請求項１又は２に記載の中空球状体からなり、前記シートを透光性を有する材料で形成したことを特徴とするランプシェード。
【発明の詳細な説明】
【技術分野】
【０００１】
本発明は、同一形状のシートを互いに連結して構成される中空球状体、同中空球状体の組立キット、及び同中空球状体からなるランプシェードに関する。
【背景技術】
【０００２】
同一形状のシートを互いに連結していくだけで球状体を組み上げることは存外難しく、そのような中空球状体やその組立キットは存在していない。
【０００３】
他方、複数のシートを互いに連結することによってランプシェードなどを組み上げることができるようにしたキットは種々販売されている。例えば、複数の係合爪部を備えたシートを複数枚、前記係合爪部同士を連結させてなる複数の連結部により中空体を構成するように結合させた、例えば略紡錘形状の中空構造体が提案されている。また、かかる中空構造体をランプシェードに用いることも提案されている（例えば、特許文献１を参照。）。
【０００４】
特許文献１に記載の中空構造体によれば、シート間には隙間が発生し、かつ、シート同士を部分的に重ねておくと複数の隙間が各々、異なる方向に向くため、照明用シェードとして用いた場合には、隙間から漏れ出る光の出射方向などの斬新さを楽しむことができる、とされている。
【先行技術文献】
【特許文献】
【０００５】
【特許文献１】特開２００９−２１２０４号公報
【発明の開示】
【発明が解決しようとする課題】
【０００６】
しかし、上記特許文献１に開示された中空構造体は、構造体表面に隙間が形成されているため、それが斬新さを奏する半面、構造体表面が隙間による凹凸形状となっており、所謂球状体となすことはできないものであった。また、かかる中空構造体は、表面に隙間があるため、これをランプシェードとして利用した場合、隙間から虫などが入り込んで抜け出せなくなるおそれがあり、シェード内が虫の死骸で汚れることも有り得る。
【０００７】
本発明は、上記課題を解決することのできる中空球状体、同中空球状体の組立キット、及びランプシェードを提供することを目的としている。
【課題を解決するための手段】
【０００８】
（１）１２枚の同一形状の一定の弾性力を有する材料からなるシートを互いに連結して構成した中空球状体であって、前記各シートに形成された正五角形のベース部からなる１２の略五角形領域と、前記ベース部の各辺に付設された異形部同士が連結されて形成される２０の略３角形領域とが組み合わせられた多面体からなり、前記略三角形領域には、前記各シート同士の連結部を兼ねる装飾部が形成されると共に前記装飾部は３つの前記異形部が組み合わされて立体的に形成され、前記異形部は、前記ベース部の辺に連接する連接部と、この連接部から屈曲伸延する連結爪部とを有し、この連結爪部同士が組み合わされて前記装飾部を構成し、各前記シートの前記連接部と前記連結爪部との境目に係合部を入江状に形成し、前記係合部の終端を、前記正五角形のベース部が内接する仮想正五角形の頂点に位置させて、前記係合部の終端を前記装飾部の中心に位置させ、前記係合部は、入江状の入口が全ての前記異形部で前記正五角形のベース部の各辺に略平行で同じ側に形成され、更に、前記連接部は、前記係合部が形成される側に山状に突出させた第１の突出部と、前記第１の突出部の反対側に形成された第２の突出部とを有し、異なる前記異形部間で隣接する前記第１の突出部と前記第２の突出部とが前記正五角形のベース部の頂点で凹状の谷底を形成するように構成されていることとした。
【００１２】
（２）本発明は、上記（１）の中空球状体において、前記連結爪部を花弁状に形成したことを特徴とする。
【００１３】
（３）本発明では、上記（１）又は（２）の中空球状体を構築するために、前記１２枚のシートを具備する中空球状体の組立キットとした。
【００１４】
（４）本発明では、上記（１）又は（２）の中空球状体からなり、前記シートを透光性を有する材料で形成したランプシェードとした。
【発明の効果】
【００１５】
本発明では、同一形状の１２枚のシートのみから美しい球状体が構成されており、しかも、その表面にはシート同士の連結部を兼ねる装飾部が形成されているため、見栄えのよいオブジェや置物として使用することができる。また、自分で組み立てることができるため、あたかもプラモデルを作製するような楽しみも得られる。さらに、見栄えのするランプ用シェードとして使用することができ、灯りを点灯させると、装飾部に陰影が生じてより幻想的な美しさを生起する。
【図面の簡単な説明】
【００１６】
【図１】中空構造体の基本構造を示す多面体の説明図である。
【図２】本実施形態に係る中空球状体を構成するシートの説明図である。
【図３Ａ】本実施形態に係る中空球状体の説明図である。
【図３Ｂ】本実施形態に係る中空球状体の説明図である。
【図４】本実施形態に係るシート同士の連結手順の一例及び中空球状体の連結部を兼ねる装飾体の説明図である。
【図５】同シート同士の連結手順の一例及び中空球状体の連結部を兼ねる装飾体の説明図である。
【図６】同シート同士の連結手順の一例及び中空球状体の連結部を兼ねる装飾体の説明図である。
【図７】本実施形態に係る中空球状体をランプシェードに適用した場合の使用状態を示す説明図である。
【図８】同ランプシェードに適用した場合の表面の陰影を示す説明図である。
【図９Ａ】他の実施形態に係る中空球状体の説明図である。
【図９Ｂ】他の実施形態に係る中空球状体の説明図である。
【図１０】上記他の実施形態に係る中空球状体をランプシェードに適用した場合の使用状態を示す説明図である。
【図１１】上記他の実施形態に係る中空球状体を構成するシートの説明図である。
【発明を実施するための形態】
【００１７】
本実施形態に係る中空球状体は、１２枚の同一形状のシートを互いに連結して構成した中空球状体である。この中空球状体は、各シートに形成された正五角形のベース部からなる１２個の略五角形領域と、各ベース部の各辺に付設された異形部同士が連結されて形成される２０個の略３角形領域とが組み合わせられた多面体から構成されている。そして、２０個の略三角形領域には、それぞれ、各シート同士の連結部を兼ねる装飾部が形成されて、中空球状体の美観を高めている。
【００１８】
かかる中空球状体に用いられる１２枚のシートは、それぞれ、一定の弾性力を有する材料から形成されており、かかるシートにより構成された中空球状体の装飾部は、各シートに形成される５つの異形部のうち、３つの異形部が巴状に組み合わされて立体的に形成されている。
【００１９】
異形部は、正五角形のベース部の各辺に連接する連接部と、この連接部から所定の方向に屈曲して伸延する連結爪部とを有しており、この連結爪部同士が組み合わされて中空球状体の装飾部が構成されることになる。
【００２０】
シートの形状をより詳しく説明すると、各シートの異形部を形成する連接部と連結爪部との境目には、各シートの連結爪部同士を係合させるための係合部が入江状に形成されている。そして、かかる入江状に形成された係合部の終端を、正五角形のベース部を内接する仮想正五角形の頂点に位置させている。かかる構成のシートを１２枚用いて中空球状体を構成するように連結していくと、３つの異形部が組み合わされたとき、係合部の終端は必然的に装飾部の中心に位置する。しかも、このとき、装飾部は３つの異形部が三重に重なるため立体的に形成されることになる。
【００２１】
よって、例えば、連結爪部を花弁状に形成すれば、より装飾性が高まり、中空球状体全体の美観を向上させることが可能となる。
【００２２】
また、シートを透光性を有する材料で形成すれば、構成された上述の中空球状体を、ランプシェードとして好適に用いることができる。
【００２３】
また、１２枚のシートを１セットとした中空球状体の組立キット、あるいはランプシェードの組立キットとすれば、購入者に組立て過程の楽しみも付与することができる。
【００２４】
以下、図面を参照しながら、本発明の実施の形態をより具体的に説明する。
【００２５】
図１は中空構造体の基本構造を示す多面体の説明図である。本実施形態に係る中空球状体は、基本的に、図１に示すように、五角形領域Ｐと三角形領域Ｔとが組み合わせられた多面体から構成されており、五角形領域Ｐが１２個、三角形領域Ｔが２０個で構成されている。
【００２６】
他方、正多面体としては、４つの正三角形からなる三角錐形状の正４面体、６つの正方形からなる立方体形状の正６面体、８つの正三角形からなり、ピラミッド形状を上下に重ねたような正８面体、さらには、１２の正五角形からなる正１２面体、２０の正三角形からなる正２０面体が存在している。
【００２７】
かかる５つの正多面体の中で、最も球に近いのは、頂点の数が２０個と最も多い正１２面体である。多面体で球状体を構成する場合、この正１２面体を基礎とすることが合理的である。このとき、２０個の頂点は３つの正五角形により形成されていることから、この頂点部分を正三角形の面で置き換えると、より球状に近い多面体となることを知見した。
【００２８】
つまり、３つの正五角形を連結したときに、正五角形の領域と正三角形の領域とが形成されるシートを形成すればよく、かかるシートとしては、単一のシートで正五角形領域が形成でき、かつ３つのシートを連結したときに正三角形領域が形成される形状とすればよいことが分かる。
【００２９】
しかも、３つのシートを連結したときに、かかる連結部が装飾性を有するものであればなお良い。そのような見地から、図２に示すシート１０を創出した。
【００３０】
図２は本実施形態に係る中空球状体を構成するシート１０の説明図であり、図示するように、シート１０は、正五角形のベース部１と、このベース部１の辺１ａ，１ｂ，１ｃ，１ｄ，１ｅにそれぞれ付設された異形部２とを有している。
【００３１】
図３Ａ及び図３Ｂは本実施形態に係る中空球状体の説明図であり、図３Ａ（ａ）は中空球状体の正面図、図３Ａ（ｂ）は同背面図、図３Ａ（ｃ）は同平面図、図３Ａ（ｄ）は同底面図、図３Ｂ（ｅ）は同左側面図、図３Ｂ（ｆ）は同右側面図、図３Ｂ（ｇ）は同斜視図である。図示するように、本実施形態に係る中空球状体は１２の略五角形領域と２０の略３角形領域とからなる多面体で構成されている。略五角形領域は各シート１０のベース部１により形成され、略３角形領域は３つのシート１０の各１つの異形部２同士が連結されて形成される。
【００３２】
そして、略三角形領域には、各シート１０同士の連結部を兼ねる装飾部４が形成されるのである。本実施形態に係る装飾部４は、あたかも花のような外観を呈しており、オブジェや置物として利用できるような斬新でかつ美しい球状体となっている。
【００３３】
また、シート１０は、例えば樹脂などを用いた一定の弾性力を有する材料から形成されているため、３つの異形部２が組み合わされると立体的な装飾部４となり、見栄えがより向上する。なお、本実施形態に係るシート１０は、その材料として、和紙と和紙との間にＰＥＴ（Polyethylene Terephthalate）を挟んだ強化和紙を用いている。
【００３４】
また、図２に示すように、本実施形態に係るシート１０の異形部２は、ベース部１の辺１ａ，１ｂ，１ｃ，１ｄ，１ｅに連接する連接部２１と、この連接部２１から屈曲伸延する連結爪部２２とを有しており、連結爪部２２同士が巴状に組み合わされて装飾部４（図３Ａ，Ｂ参照）を構成している。
【００３５】
すなわち、図２に示すように、異形部２の連接部２１と連結爪部２２との境目には、係合部４０が入江状に形成されている。そして、係合部４０の終端４０ａを、正五角形のベース部１が内接する仮想正五角形Ｐ１の各頂点に位置させることによって、図３Ａ，Ｂ に示すような中空球状体を構築したときに、係合部４０の終端４０ａが装飾部４の中心に位置するようにしている。そして、本実施形態に係る連結爪部２２は花弁状に形成されているため、装飾部４は３枚の連結爪部２２を花弁とする花のように見える。
【００３６】
各連接部２１は、装飾部４において他の異形部２と重合する第１の突出部４１と第２の突出部４２とが形成されている。ここでは、第１の突出部４１を入江状の係合部４０が形成される側に山状に突出させるとともに、第２の突出部４２を第１の突出部４１の反対側に形成している。
【００３７】
かかるシート１０を用いて構成した中空球状体は、図３Ａ，Ｂに示すように、その表面にシート１０同士の連結部を兼ねるとともに、あたかも花のような美しい装飾部４が形成されることになるため、見栄えのよいオブジェや置物として使用することができる。しかも、本実施形態に係る連結爪部２２は桜をイメージした花弁とするとともに、シート１０を和紙で形成しているため、その相乗効果によって、図３Ａ，Ｂに示すように、和風が強調された風合いを得ることができる（図８を参照）。
【００３８】
ところで、本実施形態では、１２枚のシート１０を互いに連結して中空球状体を構築するのであるが、ここで、３枚のシート１０を用いて、シート同士の連結手順の一例を示しながら中空球状体の連結部を兼ねる装飾部４について、図４〜図６を参照して説明する。なお、図４〜図６における装飾部４は、第１のシート１０Ａ、第２のシート１０Ｂ、第３のシート１０Ｃの順に各連結爪部２２を係合させて構成している。また、理解を容易にするために、第１のシート１０Ａ、第２のシート１０Ｂ、第３のシート１０Ｃの各異形部２や各異形部２を構成する連結爪部２２などの各部位についても、第１のシート１０Ａ、第２のシート１０Ｂ、第３のシート１０Ｃに準じて符号にＡ、Ｂ，Ｃを付して区別することとする。
【００３９】
先ず、図４に示すように、３枚のうち最上位に位置させる第１のシート１０Ａの連結爪部２２Ａに、中位に位置させる第２のシート１０Ｂの連結爪部２２Ｂを係合し、この第２のシート１０Ｂの連結爪部２２Ｂの下方から最下位に位置させる第３のシート１０Ｃの連結爪部２２Ｃを係合させる。このとき、第３のシート１０Ｃの連結爪部２２Ｃを含む異形部２Ｃは、第２のシート１０Ｂの異形部２Ｂに対しては下方に位置するが、第１のシート１０Ａの異形部２Ａに対してはその上方に重なるようにする。このようにして、１つの装飾部４が恰も花のように形作られるが、この状態では、第１のシート１０Ａ、第２のシート１０Ｂ、第３のシート１０Ｃは未だ平面方向に広がった二次元状態のままである。
【００４０】
次に、他の装飾部４が形成されるように他の連結爪部２２同士を連結していくが、第１のシート１０Ａと第２のシート１０Ｂとの間の他の連結部分を例にとると、図５に示すように、上位に位置していた第１のシート１０Ａの異形部２Ａを第２のシート１０Ｂの下方に位置するように入れ替える。同様に、第２のシート１０Ｂと第３のシート１０Ｃとの間の他の連結部を例にとると、上位に位置していた第２のシート１０Ｂの異形部２Ｂを第３のシート１０Ｃの下方に位置するように入れ替えるとともに、第３のシート１０Ｃと第１のシート１０Ａとの間の他の連結部を例にとると、上位に位置していた第３のシート１０Ｃの異形部２Ｃを第１のシート１０Ａの下方に位置するように入れ替える。
【００４１】
そして、図６に示すように、第１のシート１０Ａと第２のシート１０Ｂとの間の他の連結部分を例にとった場合、第１のシート１０Ａの異形部２Ａの連結爪部２２Ａの係合部４０（図２参照）と第２のシート１０Ｂの連結爪部２２Ｂの係合部４０とを係合させる。同様に、第２のシート１０Ｂと第３のシート１０Ｃとの間の他の連結部分を例にとった場合であれば、第２のシート１０Ｂの異形部２Ｂの連結爪部２２Ｂの係合部４０（図２参照）と第３のシート１０Ｃの連結爪部２２Ｃの係合部４０とを係合させるとともに、第３のシート１０Ｃと第１のシート１０Ａとの間の他の連結部分を例にとった場合であれば、第３のシート１０Ｃの異形部２Ｃの連結爪部２２Ｃの係合部４０（図２参照）と第１のシート１０Ａの連結爪部２２Ａの係合部４０とを係合させる。
【００４２】
こうして、第１のシート１０Ａ、第２のシート１０Ｂ及び第３のシート１０Ｃからなる３枚のシート１０を互いに連結すると、その連結部は、花弁状に形成された連結爪部２２が巴状に組み合わされることによって花を模した装飾部４が形成される。しかも、この装飾部４は、シート１０が弾力性を有する材料で形成されているため、３重に重合している各連結爪部２２がピンと張った状態となり、立体的な見栄えのする装飾部４となる。
【００４３】
そして、同様にして、１２枚のシート１０を全て用いて、各シート１０同士を互いに連結していくと、図３Ａ，Ｂに示したように、各シート１０に形成された正五角形のベース部１からなる１２の略五角形領域と、前記ベース部１の各辺に付設された異形部２同士が連結されて形成される２０の略３角形領域とが組み合わせられた多面体からなる中空球状体が構築される（図１参照）。そして、略三角形領域には、各シート１０同士の連結部を兼ねる装飾部４が形成されるため、中空球状体としての美観を著しく向上させることができる。
【００４４】
なお、シート１０の連接部２１には、前述したように第１の突出部４１と第２の突出部４２とが形成されているため、これらが隣接するシート１０同士で重合することで、間隙が形成されることを防止するとともに、中空球状体としての強度を高めることができる。
【００４５】
ところで、本中空球状体は、図７及び図８に示すように、ランプシェードとして好適に用いることができる。本中空球状体は１２枚のシート１０が連結されて構築されているものの、表面には間隙などが殆どなく、略球状面となっている。したがって、内部に配設したランプ６の光を透過させるためにシート１０は透光性、あるいは半透光性を有する材料で形成している。図７及び図８中、符号６０はランプ６の電気コードを示している。
【００４６】
かかるランプシェードは、当該シェードを構成するシート１０の連接部２１に第１の突出部４１と第２の突出部４２とが形成されているため、前述しように隣接するシート１０同士で重合することで強度アップが図れるとともに、図８に示すように、灯りを点けたときには、装飾部４においては重合による陰影の濃淡が表れる。したがって、点灯時には、より美観が高まる効果を奏し、中空球状体がランプシェードとして好適であることが分かる。
【００４７】
また、本ランプシェードは、１２枚のシート１０を連結して構成したものであるが、その表面には間隙などは殆ど形成されることがない。したがって、虫などがシェード内に入り込むおそれを可及的に防止することができる。
【００４８】
図９Ａ（ａ）〜図９Ｂ（ｇ）及び図１０に示したものは、他の実施の形態に係る中空球状体（ランプシェード）である。また、図１１に示したものは、上記他の実施形態に係る中空球状体（ランプシェード）を構成するシートの説明図である。
【００４９】
本実施形態に係る中空構造体及びランプシェードは、上述してきた実施形態に係る中空球状体及びランプシェードに対して、装飾部４のデザインのみが変わっただけであり、実質的な構成は同じである。よって、図において先の実施形態と同一構成要素については同一の符号を付し、その具体的説明は省略する。
【００５０】
本実施形態では、装飾部４を構成するシート１０の連結爪部２２が花弁状ではなく、よりシンプルな円形に形成されている。したがって、特に和風というわけではなく、洋間にも和室にもマッチする中空構造体又はランプシェードとなる。
【００５１】
以上、実施形態を通して本発明を説明してきたが、本発明の趣旨を逸脱することのない限り、具体的な構成は適宜変更しても構わない。例えば、装飾部４のデザインを実質的に規定する連結爪部２２の形状は適宜所望する形状に変更することができる。
【００５２】
また、シート１０の材料としても、オブジェや置物として利用する場合は、その色や模様、さらに材質などは特に限定されるものではない。人の手によって組立て可能な適度な弾性を有する材料であれば何でもよい。また、ランプシェードとして利用する場合は、それに加えて光を透過するものであれば何でもよい。
【符号の説明】
【００５３】
１  ベース部
２  異形部
４  装飾部
１０  シート
２１  連接部
２２  連結爪部
【図１】
0005603141.tif 000002
【図２】
0005603141.tif 000003
【図３Ａ】
0005603141.tif 000004
【図３Ｂ】
0005603141.tif 000005
【図７】
0005603141.tif 000006
【図９Ａ】
0005603141.tif 000007
【図９Ｂ】
0005603141.tif 000008
【図１０】
0005603141.tif 000009
【図４】
0005603141.tif 000010
【図５】
0005603141.tif 000011
【図６】
0005603141.tif 000012
【図８】
0005603141.tif 000013
【図１１】
0005603141.tif 000014